(57)【要約】【課題】簡易な操作で画像を拡大し連続して再生表示することを課題とする。【解決手段】画像を連続して再生するモードを備えた表示装置であって、画像を拡大して出力する拡大手段と、前記拡大手段における拡大条件を設定する設定手段と、を備え、前記モード中、画像を切替えた場合でも前記拡大条件を適用することにより、順次画像を拡大し連続して再生することができる表示装置に関する。この構成を採ることで、簡易な操作により、所望の拡大条件を維持しつつ画像を拡大し連続して再生表示することができる。【選択図】図２
2005286550.tif 000002
【特許請求の範囲】
【請求項１】
画像を連続して再生するモードを備えた表示装置であって、
画像を拡大して出力する拡大手段と、
前記拡大手段における拡大条件を設定する設定手段と、を備え、
前記モード中、前記拡大手段により順次画像を拡大し連続して再生することを特徴とする表示装置。
【請求項２】
請求項１に記載の画像を連続して再生するモードを備えた表示装置であって、
複数の画像から順次１の画像を指定する指定手段を備え、
前記モード中、前記指定手段により順次指定された画像を前記拡大手段により拡大することにより画像を拡大し連続して再生することを特徴とする表示装置。
【請求項３】
請求項１または２に記載の画像を連続して再生するモードを備えた表示装置であって、
前記設定される拡大条件は少なくとも拡大率または拡大位置を含み、
前記モード中、前記設定された拡大条件で順次画像を拡大し連続して再生することを特徴とする表示装置。
【請求項４】
請求項１〜３のいずれか１項に記載の画像を連続して再生するモードを備えた表示装置であって、
画像中の特定の画像情報を認識し抽出する手段を備え、
前記モード中、前記抽出された特定の画像情報を前記拡大条件により拡大し連続して再生することを特徴とする表示装置。
【請求項５】
請求項１〜４のいずれか１項に記載の画像を連続して再生するモードを備えた表示装置であって、
前記拡大条件と関連付けて出力された画像を保存する手段および／または前記拡大条件と関連付けて出力された画像を外部に出力する手段を備えることを特徴とする表示装置。
【請求項６】
請求項１〜５のいずれか１項に記載の画像を連続して再生するモードを備えた表示装置であって、
前記拡大し連続して再生された複数の画像を同一表示部に表示させる手段を備える表示装置。
【発明の詳細な説明】
【技術分野】
【０００１】
本発明は、画像を連続して再生するモードを備えた表示装置に関し、特に画像を拡大し連続して再生することができる表示装置に関する。
【背景技術】
【０００２】
従来の表示装置においては、画像全体を再生する通常再生と、一の画像を任意に選択後、拡大する拡大率を入力または選択することにより該一の画像の所望の部分を拡大して再生する拡大再生が可能な商品が市場に出ている。  
これらの商品においては、一の画像の拡大再生中に他の画像の再生に切り換えるためにはいったん操作者の操作によりメニュー画面に戻り、メニューモードを抜けてから画像を切り換えなければならないという問題がある。  
また、ある画面において被写体を所望の条件で拡大再生できた場合でも、次の画像を拡大再生する場合には、再度、次の画像を表示し、その画像に適した拡大条件を設定する必要がある。連写撮影のように同一の被写体を連続的に撮影した場合には、同一の被写体を連続して拡大再生できることが望まれているが、従来の表示装置においては上述の通り、画像ごとに拡大条件を設定することが必要であり、非常に煩雑な作業が必要とされていた。このため、簡易な操作で画像を拡大し連続して再生表示できる表示装置が求められている。  
また、表示装置に画像を表示する際には、画像情報を表示部のサイズや形状に合わせて自動的に縮小して、画像を表示しているが、この場合、画素を間引いたり、加算平均したりすることで画像情報を表示部に適したサイズに変更しているため、画像の質が低下したり、処理時間が多く必要となる等の問題が生じている。さらに、該縮小した画像の一部を再度拡大する場合においては、上記画質の低下や処理時間が多く必要となるという問題が大きくなっている。  
【特許文献１】特開１９９９−１８７２９３号公報
【発明の開示】
【発明が解決しようとする課題】
【０００３】
本発明は、画像を拡大し連続して再生する表示装置を提供することを課題とする。
【課題を解決するための手段】
【０００４】
本発明は、画像を連続して再生するモードを備えた表示装置であって、画像を拡大して出力する拡大手段と、前記拡大手段における拡大条件を設定する設定手段と、を備え、前記モード中、前記拡大手段により順次画像を拡大し連続して再生することを特徴とする表示装置に関する。
【０００５】
また、画像を連続して再生するモードを備えた表示装置であって、更に複数の画像から順次１の画像を指定する指定手段を備え、前記モード中、前記指定手段により順次指定された画像を前記拡大手段により拡大することにより画像を拡大し連続して再生することを特徴とする表示装置に関する。
【０００６】
また、画像を連続して再生するモードを備えた表示装置であって、前記設定される拡大条件は少なくとも拡大率または拡大位置を含み、前記モード中、前記設定された拡大条件で順次画像を拡大し連続して再生することを特徴とする表示装置に関する。
【０００７】
また、画像を連続して再生するモードを備えた表示装置であって、更に画像中の特定の画像情報を認識し抽出する手段を備え、前記モード中、前記抽出された特定の画像情報を前記拡大条件により拡大し連続して再生することを特徴とする表示装置に関する。
【０００８】
また、画像を連続して再生するモードを備えた表示装置であって、更に前記拡大し連続して再生された画像を前記拡大条件と関連付けて出力する手段を備えることを特徴とする表示装置に関する。
【０００９】
また、画像を連続して再生するモードを備えた表示装置であって、更に前記拡大条件と関連付けて出力された画像を保存する手段および／または前記拡大条件と関連付けて出力された画像を外部に出力する手段を備えることを特徴とする表示装置に関する。
【００１０】
画像を連続して再生するモードを備えた表示装置であって、更に前記拡大し連続して再生された複数の画像を同一表示部に表示させる手段を備える表示装置に関する。
【００１１】
画像を連続して再生するモードを備えた表示装置であって、更に画像情報から、前記拡大条件に応じて画像の所定領域を抜き出して出力する手段を備えることを特徴とする表示装置に関する。
【発明の効果】
【００１２】
本発明の表示装置によれば、簡易な操作で画像を拡大し連続して再生することができる。
【発明を実施するための最良の形態】
【００１３】
図１は本実施の形態の表示装置を備える電子カメラに関し、その表示部および操作部の図面である。本実施の形態の表示装置を備える電子カメラは、撮影モード、画像再生モードを有し、モード切替スイッチ１００を切り替えることで撮影モード、画像再生モードの切替えを行なうことが可能である。
【００１４】
撮影モードにおいては、ＬＣＤモニタ１０１に被写体が表示され、撮影者はこの表示を見ながら撮影を行うことが可能である。撮影モードにおいてズーム倍率を変えるスイッチであるシーソースイッチ１０３を操作することにより、被写体を確認しながらズーム処理を行うことができ、所望の条件で撮影を行うことができる。撮影が終了し、撮影した画像を確認したい場合や、保存されている画像を再生する場合には、モード切換えスイッチ１００を回すことで画像再生モードに切替ることができる。
【００１５】
画像再生モードにおいては、図示されない内部メモリまたは図示されない電子カメラに接続された外部メモリから読み出される画像をＬＣＤモニタ１０１に表示することが可能である。通常の再生モードにおいては、概ね画像全体がＬＣＤモニタ１０１に表示される。他の画像を表示したい場合には、画像切り替えスイッチである十字スイッチ１０４により順次切替えることが可能である。十字スイッチのスイッチ操作部１０４ａにより順送り、スイッチ操作部１０４ｂにより逆送りすることができ、連続して画像を再生することができる。
【００１６】
画像を拡大して再生したい場合には、再生モードにおいては画像の倍率を変えるスイッチであるシーソースイッチ１０３を操作することで画像を拡大表示する。この拡大操作はＬＣＤモニタ１０１画像を見ながら行うことができ、画像を見ながら所望の倍率を決めることが可能である。
【００１７】
また、画像中における拡大表示する位置は、拡大画像が表示されている状態で十字型スイッチ１０４を操作することで移動させることができる。操作者は、ＬＣＤモニタ１０１に表示された拡大画像を見ながら該十字スイッチ１０４のスイッチ操作部１０４ａ、ｂ、ｃ、ｄを操作することで、その拡大位置を移動させることができる。スイッチ操作部１０４１ａで右方向に、１０４ｂで左方向に、１０４ｃで上方向に、１０４ｄで下方向に移動させることが可能である。  
画像を拡大し連続して再生する（以後「ズームコマ送り」ということがある。）操作手順を例示する。画像を拡大し連続して再生するモード（以後「拡大連続再生モード」ということがある。）を設定するスイッチ１０２を押すことでモードを切替えることができる。画像を拡大表示する前に該拡大連続再生モードに切替えることも、画像を拡大表示した状態で拡大連続再生モードに切替えることも可能である。  
操作手順の一例としては、拡大連続再生モードスイッチ１０２を押してモードを切替え、スイッチ１０３で拡大倍率を選択し、十字スイッチ１０４で拡大位置を選択することでＬＣＤモニタに所望の拡大条件で画像を拡大表示し、スイッチ１０４ａ、ｂを押すことで拡大条件を維持したまま順次他の画像を連続して表示させることが可能である。
【００１８】
ここで、予め設定された倍率をスイッチ１０３の操作により選択しても良く、また、モード切替えスイッチ１００により各種機能の条件を設定できるモードに切替え、ＬＣＤモニタ１０１に表示される図示されないメニュー画面において拡大倍率を選択し、または拡大倍率を入力することも可能である。
【００１９】
拡大位置についても、十字スイッチ１０４の操作により所望の画像領域を指定することができる。拡大位置は拡大する領域の中心点を指定することも、特定の領域を指定することもできる。画像領域は予め指定された画枠を移動させて指定することも、任意の画枠をＬＣＤモニタ上で作成することもできる。さらに、前記図示されないメニュー画面において、領域を座標値を入力することにより指定することも可能である。
【００２０】
拡大し連続して再生する画像の枚数を指定することもできる。また、拡大し連続して再生する時間を設定することもできる。拡大し連続して再生する画像の枚数や時間を設定した場合、所定枚数を拡大して表示し、または所定の時間が終了した場合、自動的に拡大連続再生モードを解除するように設定することもできる。  
特に拡大し連続して再生する枚数や時間を指定しない場合には、拡大連続再生モード中は画像を拡大して連続的に表示し続けるように設定ことができる。
【００２１】
また、拡大し連続して画像を表示する場合において、拡大する画像の拡大位置を所定にパターンによって移動させることができる。さらには、特定の画像を指定して、または自動的に認識し切り抜いて拡大表示するように設定するも可能である。  
拡大倍率も所定のパターンによって変更させることができる。例えば拡大倍率を少しずつ大きくさせることも可能である。
【００２２】
図２は画像を拡大し連続して再生するモードにおける操作のフローチャート図である。まず、再生モードにおいて画像は通常再生されている（２０１ａ）。この場合には、概ね画像全体がモニタに表示される。拡大連続再生モードに設定（２０２：ＺＯＯＭコマ送り設定）した場合、拡大倍率を設定し（２０３：ＺＯＯＭ処理）、拡大位置を設定する（２０４：ＺＯＯＭポジション設定）。そして、画像を切替えることで前記設定された拡大倍率や拡大位置等の拡大条件が切替えられた画像においても適用され、拡大された画像が連続して再生される（２０３：ＺＯＯＭポジションによる連続再生）。所望の画像について拡大再生が終了した場合、拡大連続再生モードを解除して通常の再生モードに戻ることができる（２０７、２０１ｂ）。
【００２３】
また、予め設定された所定の画像枚数が終了した後に自動的に通常の再生モードに切替えることや保存されている画像が終了した場合（２０８）に自動的に拡大連続再生モードが解除されるようにしてもよい。
【００２４】
また、通常の拡大モードで画像を拡大表示をしていた場合で（２１１、２１２）、拡大したまま連続して再生したくなった場合には、連続拡大再生モードに切り替えることができる（２１３）。この場合においても、上記と同様に拡大条件を維持した連続再生をすることができる。
【００２５】
図３は本願発明の表示装置を備えた電子カメラのブロック図である。  
メモリ３０１に記憶されている画像情報、外部インターフェース３０２に接続されたメモリーカード３０３の画像情報、外部インターフェイス３０２に接続された外部装置に記憶された画像が信号処理３０５、システムコントローラー３０６を介してＬＣＤモニタ３０８に表示される。
【００２６】
図示しないモード切替えスイッチのキー入力３１０により再生モード、拡大再生モード、拡大連続再生モード等のモード切り替がなされる。拡大連続再生モードに切替えられ場合、図示しない拡大倍率や拡大位置の拡大条件を設定するスイッチの操作により設定された拡大条件を維持したまま、図示しない画像切替えスイッチによって順次画像が拡大し連続して再生される。
【００２７】
拡大条件はメモリ３０１等に保存しておくことができ、画像が切り替わっても該保存された拡大条件を適用させることで、連続して拡大画像を表示することができる。
【００２８】
前記拡大し連続して再生された画像を拡大条件と関連付けて保存しておくことで、繰り返し同じ拡大画像を再生することができる。拡大連続再生の拡大条件はメモリ３０１等に記憶しておくことができる。これにより、再度条件を設定することなく、連続拡大画像をＬＣＤモニタ３０８に表示させることができる。
【００２９】
図４〜図７はＬＣＤモニタに表示された画像で、通常再生および拡大連続再生の表示画面である。上段が通常再生モードにおいて画像を順次切替えて再生した場合であり、下段が拡大し連続して再生した場合である。  
図４の下段は拡大位置を固定した場合の表示態様であり、通常再生の画面４０１ａにおける左上部の「Ａ」が表示されている領域を拡大位置とし、この領域を拡大位置として固定している。操作者が４０１ａの画像を拡大し、「Ａ」の部分を拡大位置として指定し、画面を切替えることで４０２ａ、４０３ａのそれぞれ「Ａ」の位置に対応する文字が拡大された４０２ｂ、４０３ｂのような拡大表示が連続してなされる。
【００３０】
図５の下段は拡大したい対象を指定した場合の表示態様であり、通常再生の画面５０１ａにおける「●」を拡大したい対象として設定している。操作者が５０１ａの画像を拡大し、「●」を画枠等で拡大位置として選択し、切替えた画像においても「●」を自動的に認識して拡大するように設定し、画像を切替えることで５０２ａ、５０３ａの「●」が拡大された５０２ｂ、５０３ｂのような拡大表示が連続してなされる。  
ここで、指定対象を認識させる方法として、画像情報において指定した対象物の特徴と認識して、切替えらた画像においても前記認識された特徴を認識して自動的に画像を抜き出す公知の画像認識技術を利用し、拡大表示させることができる。
【００３１】
図６の下段は拡大位置を一定パターンで移動させた場合の表示態様であり、通常再生の画面６０１ａにおける左上部の「Ａ」の位置を拡大位置とし、この拡大位置を左上部→中央上部→右上部へと移動するように設定している。操作者は６０１aの画像を拡大し、「A」の部分を拡大位置として指定し、拡大位置が上述のように左上部→中央上部→右上部へと移動するように拡大条件を設定する。そして、操作者が画像を切替えることで６０２ａの「B」、６０３ａの「C」を拡大表示した６０２ｂ、６０３ｂのような表示が連続してなされる。
【００３２】
拡大位置に移動は、予め設定されたパターンから選択することも、任意の移動条件を設定することもできる。  
固定された撮像機等で撮影された画像については、拡大位置を画面全体を網羅するように移動させることもできる。  
また、被写体が一定速度で移動するのもであれば、この速度に応じて拡大位置を移動させることで、移動する被写体を拡大して連続的に表示することができ、この場合、その微妙な変化を観察できる。
【００３３】
図７においては図５と同様に拡大する対象を指定した場合の拡大連続再生であり、通常の再生画面７０１ａにおける「人の顔」を拡大する被写体（対象）として指定した場合である。操作者が７０１ａの画像を拡大し、「人の顔」を画枠等で選択し、切替えた画像においても「人の顔」を自動的に認識して拡大するように設定し、画像を切り替えることで、通常再生の画像５０２ａ、５０３ａの「人の顔」がそれぞれ拡大表示された５０２ｂ，５０３ｂが連続して表示される。これにより、「人の顔」が拡大し連続して表示され、その表情の変化を連続的に拡大表示することができる。ここで、指定対象を認識させる方法として、画像情報において指定した対象物の特徴と認識して、切替えらた画像においても前記認識された特徴を認識して自動的に抜き出す等の公知の画像認識技術を利用することができる。
【００３４】
拡大連続再生の条件は、所定の条件から選択することも、所定の条件を組み合わせることも、また、任意に設定することもできる。予め所定の拡大倍率、拡大位置、拡大連続再生枚数、拡大連続時間等の拡大再生条件が設定されており、これらから選択することができる。また、拡大連続再生モードに切替える際に、初期条件として自動的に所定の拡大連続再生条件が設定されるようにしても良い。
【００３５】
本発明においては、拡大条件として少なくとも拡大倍率または拡大位置を設定し、好ましくは拡大倍率および拡大位置を設定する。  
拡大倍率は予め設定された倍率から選択しても良く、また、任意に設定しても良い。拡大再生モードに切替えることで自動的に所定の拡大倍率となるように設定することもできる。また、拡大倍率を予め数段階設定しておき、その拡大率を調整するスイッチを押す回数で拡大倍率を段階的に増減させるようにすることもできる。  
また、拡大倍率を少しずつ大きくしていく等、拡大倍率を変化させるように設定さすることもできる。
【００３６】
拡大位置については、上述の通り、画像を拡大表示した画面を見ながら拡大位置を設定してもよく、また、予め画像の中央を拡大位置する等の固定した位置にしておくこともできる。さらに、最もピントが合っている部分を自動的に指定するように設定することもできる。  
また、上述の通り、拡大位置を移動させることができ、この拡大位置を一定のパターンで移動させることも、任意の条件で移動させることもできる。更に、拡大する被写体の移動に規則性があれば、拡大位置も被写体の移動に応じて規則的に移動するよう設定することができる。  
また、拡大位置の移動は予め設定された移動パターンから選択することもできる。
【００３７】
拡大位置として拡大する領域の中心点を指定することも、また、拡大したい領域全体を指定することもできる。領域全体を指定する場合は、画枠等で指定することも、所定の拡大倍率で拡大表示された画像（画面を枠として）を領域として指定することもできる。
【００３８】
また、特定の被写体を拡大し連続して再生することもできる。拡大表示したい特定の被写体を画枠等で指定し、これを公知の画像認識方法を利用し、切り替えた画像においても自動的に認識し、自動的に画像情報を抽出し、これを拡大して表示するように設定することもできる。
【００３９】
拡大条件は、拡大連続再生の前でも連続再生中でも設定することができ、変更することができる。また、拡大条件は、以前に設定された条件を読み出して使用することもできる。
【００４０】
操作者は、拡大した画像を順次指定し、指定した画像を再生することができるが、この指定手段として、画像を切り替えるスイッチを用いることができる。この場合、画像は保存されている順序に従って順次指定され、順次拡大して再生される。  
また、予め拡大する画像を指定しておいて、これを連続して拡大再生することもでき、この場合、指定する順序により拡大再生する順序を設定することもできる。  
更に、画像を指定する態様として、マルチ画面で画像を一覧表示し、拡大再生する画像を指定することができ、また、拡大し連続して再生する順序を指定することができる。
【００４１】
また、拡大再生モードを設定することで、拡大連続再生モードが自動的に設定されるようにすることができる。この場合、画面を拡大再生した状態から画像切り替えスイッチを操作することで自動的に拡大画像が連続表示されるため、簡易な操作で画像を拡大し連続して再生することができる。
【００４２】
また、拡大連続再生モード中に、本体電源のオフ操作や通常再生へ切り替える操作をした場合、自動的に拡大連続再生モードを解除するようにしておくこともできる。
【００４３】
本実施の形態は、拡大し連続して再生された画像を拡大条件と関連付けて出力する手段を備えるため、再度同じ条件で拡大し連続して再生することができる。  
また、拡大し連続して再生された画像を拡大条件と関連付けて保存する手段および／または外部の装置や記憶媒体に出力する手段を備えるため、再度同じ条件で拡大し連続して再生することができる。連写等により連続して撮影された画像を拡大し連続して拡大表示した場合、再度、同じ条件で拡大再生したい場合が多いが、この様な場合に好適である。
【００４４】
拡大条件と関連付けられて保存された拡大し連続して再生された一連の画像を同一画面に表示する手段を有する。いわゆるマルチ画面表示することができ、例えば、４コマ×４コマのマルチ画面表示すること等ができる。このマルチ画像表示することで拡大連続再生された複数の画像を同一画面に表示することができ、所望の被写体の連続的な変化を同一画面で一覧することができる。
【００４５】
また、本実施の形態は画像情報から直接、拡大条件に応じて画像の所定領域を切り出して出力する手段を備える。これは、一旦画像情報を表示部のサイズに合わせて間引く等の調整をした画像を再度拡大した場合に比べて高画質の拡大画像が得られる。特に、直接切り取った画像をそのまま表示できる場合には、画像処理速度も早く、画質と処理速度とも優れた拡大表示がなされるため好ましい。
【００４６】
また、画像情報から拡大位置に対応する領域を切り出して表示部に合わせて画像情報を調整することもできる。具体例としては、表示画面と相似形の画枠によって拡大したい領域を指定し、この領域を表示画面全体に表示することにより、自動的に所望の拡大倍率、拡大位置の拡大条件で拡大表示することができる。画像を切り替えた場合、前記と同様に拡大条件に応じた画像の領域を抜き出して表示部に表示することで、所望の画像領域を拡大し連続して表示することができる。この場合も、一旦画像情報全体を表示部のサイズに合わせて間引く等の調整をした場合に比べて、高画質であり、全体の処理速度も速いため好ましい。
【００４７】
本発明は、表示装置に画像を再生する方法であって、画像を拡大するステップと、順次画像を拡大し連続して再生するステップを備える表示方法に関する。ここで、前記画像の拡大倍率や拡大位置等の拡大条件を設定するステップを備えることもできる。  
更に、順次画像を拡大し連続して再生するステップに関し、複数の画像から順次１の画像を指定するステップと、前記ステップで指定された画像を画像を拡大し連続して再生するステップを備えることができる。  
また、更に、画像を拡大するステップの前または後に、画像中の特定の画像情報を認識し抽出するステップと、前記抽出された特定の画像情報を拡大し連続して再生するステップを備えることができる。
【００４８】
本発明の表示方法について図２のフローチャート図に基づいて説明すると、画像を通常再生した状態から、拡大し連続して再生するモードを設定し（２０２：ZOOMコマ送り設定）、画像を拡大するステップ（２０３：ZOOM処理）により画像を拡大し、拡大位置を設定するステップ（２０４：ZOOMポジション設定）により拡大位置を設定し、順次画像を拡大し連続して再生するステップ（２０６：ZOOMポジションによる連続再生）により、画像を拡大し連続して再生することができる。この拡大連続再生モードを解除する（２０７：コマ送り終了命令）と通常の画像が表示される。また、予定した画像の拡大再生が終了した場合や、記録された全ての画像の拡大再生が行われた場合には自動的に拡大連続再生モードを解除するように設定することもできる。  
ここで、拡大し連続して再生するモードの設定（２０２：ZOOMコマ送り設定）は、前記画像を拡大するステップ（２０３：ZOOM処理）により画像を拡大し、前記拡大位置を設定するステップ（２０４：ZOOMポジション設定）により拡大位置を設定した後に行っても良い。
【００４９】
また、拡大条件と関連付けて出力された画像を保存するステップおよび／または前記拡大条件と関連付けて出力された画像を外部に出力するステップを備え、更に前記拡大条件と関連付けて出力されて保存等された画像を表示するステップを備えることで、再度同じ条件で拡大し連続して再生することができる。  
また、拡大条件と関連付けて出力された画像を保存するステップおよび／または前記拡大条件と関連付けて出力された画像を外部に出力するステップと、更に前記拡大条件と関連付けて出力されて保存等された複数の画像を同一表示部に表示させるステップを備えることで、拡大し連続して再生した画像をマルチ画面で一覧表示することができる。
【００５０】
また、本発明は上記方法をコンピュータに実行させるプログラムに関する。操作者は、該プログラムを表示装置やこれを制御する外部装置等にインストールすることで、画像を拡大し連続して表示することができる。
【産業上の利用可能性】
【００５１】
本発明は画像を表示する装置や、該表示装置を備える種々の装置またはシステムに利用することができる。
【図面の簡単な説明】
【００５２】
【図１】電子カメラ本体の表示部および操作部の図面である。
【図２】拡大連続再生操作のフローチャートの図面である。
【図３】電子カメラのブロック図である。
【図４】通常の表示画面および拡大連続表示する画面の図面である。
【図５】通常の表示画面および拡大連続表示する画面の図面である。
【図６】通常の表示画面および拡大連続表示する画面の図面である。
【図７】通常の表示画面および拡大連続表示する画面の図面である。
【符号の説明】
【００５３】
１００  モード切替えスイッチ
１０１  ＬＣＤモニタ
１０２  拡大連続再生モード設定スイッチ
１０３  拡大倍率変更スイッチ
１０４  拡大位置変更スイッチ／画像切り替えスイッチ
【図１】
2005286550.tif 000003
【図２】
2005286550.tif 000004
【図３】
2005286550.tif 000005
【図４】
2005286550.tif 000006
【図５】
2005286550.tif 000007
【図６】
2005286550.tif 000008
【図７】
2005286550.tif 000009